【手続補正書】
【提出日】平成22年12月21日(2010.12.21)
【手続補正１】
【補正対象書類名】特許請求の範囲
【補正対象項目名】全文
【補正方法】変更
【補正の内容】
【特許請求の範囲】
【請求項１】
固定体に回転可能に支持された回転部材に所定レベル以上の回転トルクが印加されない限り当該回転部材の回転を阻止して当該回転部材と一体に回転する揺動体の自立を保持する自立保持装置であって、
前記固定体および前記回転部材のうち、一方側部材に形成された軸部には半径方向外側に突出した突部が形成され、他方側部材において前記軸部の周りを囲む筒部には半径方向に変位可能な押圧部が形成され、
前記筒部には、前記押圧部を半径方向内側に向けて付勢する環状付勢部材が装着され、
前記回転部材に所定レベル未満の回転トルクが付与されているときには、前記環状付勢部材の付勢力により前記突部と前記押圧部との乗り越えが阻止され、
前記回転部材に所定レベル以上の回転トルクが付与されているときには、前記環状付勢部材の付勢力に抗して前記押圧部を半径方向外側に変位させて前記突部と前記押圧部との乗り越えが行なわれ、
前記環状付勢部材は、前記固定体および前記回転部材に対して巻回方向に回転可能な状態で前記筒部に装着されたコイルバネであり、
前記押圧部は、前記筒部を半径方向に貫通するピン収納溝内で半径方向に変位可能な外側ピンであって、当該外側ピンは、前記突部に対して周方向でずれた位置にあるときには前記コイルバネによって前記軸部の外周面に弾性をもって当接するように押圧されていることを特徴とする自立保持装置。
【請求項２】
前記筒部に形成されたピン収納溝は、当該筒部の軸線方向の一方側端縁まで形成されていることを特徴とする請求項１に記載の自立保持装置。
【請求項３】
前記突部は、前記軸部に形成されたピン収納溝内に配置された内側ピンであることを特徴とする請求項２に記載の自立保持装置。
【請求項４】
前記軸部に形成されたピン収納溝は、当該軸部の軸線方向の一方側端縁まで形成されていることを特徴とする請求項３に記載の自立保持装置。
【請求項５】
前記筒部において軸線方向の一方側端部を塞ぐ底面では、前記外側ピンおよび前記内側ピンを挿入可能な穴または溝が開口していることを特徴とする請求項４に記載の自立保持装置。
【請求項６】
前記外側ピンおよび前記内側ピンはいずれも、金属製の丸棒であることを特徴とする請求項３乃至５の何れか一項に記載の自立保持装置。
【請求項７】
前記一方側部材は、前記回転部材であり、
前記他方側部材は、前記固定体であることを特徴とする請求項１乃至６の何れか一項に記載の自立保持装置。
【請求項８】
前記回転部材が一方方向に回転する際に当該回転部材に制動力を印加する第１ダンパー機構を備えていることを特徴とする請求項７に記載の自立保持装置。
【請求項９】
前記固定体において、前記第１ダンパー機構を構成する固定部材は、前記筒部と異なる部材からなることを特徴とする請求項８に記載の自立保持装置。
【請求項１０】
前記回転部材とは別の回転部材が前記固定体に対して回転可能に支持され、
前記別の回転部材には、当該別の回転部材が一方方向に回転する際に制動力を発揮する第２ダンパー機構が構成され、
前記コイルバネは、前記第２ダンパー機構を構成する部材により、前記筒部からの抜けが防止されていることを特徴とする請求項８または９に記載の自立保持装置。
【手続補正２】
【補正対象書類名】明細書
【補正対象項目名】００１０
【補正方法】変更
【補正の内容】
【００１０】
上記の課題を解決するために、本発明では、固定体に回転可能に支持された回転部材に所定レベル以上の回転トルクが印加されない限り当該回転部材の回転を阻止して当該回転部材と一体に回転する揺動体の自立を保持する自立保持装置であって、前記固定体および前記回転部材のうち、一方側部材に形成された軸部には半径方向外側に突出した突部が形成され、他方側部材において前記軸部の周りを囲む筒部には半径方向に変位可能な押圧部が形成され、前記筒部には、前記押圧部を半径方向内側に向けて付勢する環状付勢部材が装着され、前記回転部材に所定レベル未満の回転トルクが付与されているときには、前記環状付勢部材の付勢力により前記突部と前記押圧部との乗り越えが阻止され、前記回転部材に所定レベル以上の回転トルクが付与されているときには、前記環状付勢部材の付勢力に抗して前記押圧部を半径方向外側に変位させて前記突部と前記押圧部との乗り越えが行なわれ、前記環状付勢部材は、前記固定体および前記回転部材に対して巻回方向に回転可能な状態で前記筒部に装着されたコイルバネであり、前記押圧部は、前記筒部を半径方向に貫通するピン収納溝内で半径方向に変位可能な外側ピンであって、当該外側ピンは、前記突部に対して周方向でずれた位置にあるときには前記コイルバネによって前記軸部の外周面に弾性をもって当接するように押圧されていることを特徴とする。
【手続補正３】
【補正対象書類名】明細書
【補正対象項目名】００１２
【補正方法】変更
【補正の内容】
【００１２】
また、本発明において、前記環状付勢部材はコイルバネである。コイルバネは比較的安価であるため、自立保持装置のコストを低減することができる。しかも、コイルバネであれば、占有スペースが狭くてよい。また、コイルバネであれば、径の拡大と縮小が繰り返されても劣化が小さい。さらに、コイルバネの場合、線材の巻回方向に捩れながら径が拡大するため、径の拡大と縮小が繰り返されるうちに周方向にずれていく。このため、コイルバネにおいて押圧部に接する箇所が移動するため、特定箇所が変形してしまうことがないので、付勢力が安定しているという利点がある。さらにまた、コイルバネであれば、線材の巻回数や太さを変えるだけで、付勢力を調整することができる。また、線材が多重に巻回されている場合、その一部が切断されても、付勢力を発揮するため、ある程度の自立保持機能を発揮することができる。
【手続補正４】
【補正対象書類名】明細書
【補正対象項目名】００１３
【補正方法】変更
【補正の内容】
【００１３】
本発明において、前記筒部に形成されたピン収納溝は、当該筒部の軸線方向の一方側端縁まで形成されていることが好ましい。
【手続補正５】
【補正対象書類名】明細書
【補正対象項目名】００１４
【補正方法】変更
【補正の内容】
【００１４】
本発明において、前記突部は、前記軸部に形成されたピン収納溝内に配置された内側ピンである構成を採用することができる。
【手続補正６】
【補正対象書類名】明細書
【補正対象項目名】００１５
【補正方法】変更
【補正の内容】
【００１５】
本発明において、前記軸部に形成されたピン収納溝は、当該軸部の軸線方向の一方側端縁まで形成されていることが好ましい。この場合、前記筒部において軸線方向の一方側端部を塞ぐ底面では、前記外側ピンおよび前記内側ピンを挿入可能な穴または溝が開口していることが好ましい。このように構成すると、筒部の軸線方向の一方側で開口する穴や溝から外側ピンおよび内側ピンを挿入すればよいので、組み立て作業が容易である。
【手続補正７】
【補正対象書類名】明細書
【補正対象項目名】００１６
【補正方法】変更
【補正の内容】
【００１６】
本発明において、前記外側ピンおよび前記内側ピンはいずれも、金属製の丸棒であることが好ましい。このように構成すると、環境温度が変化しても、動作が安定しており、寿命も長い。また、エッジがないので、突部と押圧部との間に異常な引っ掛かりが発生せず、突部と押圧部との乗り越えがスムーズである。
【手続補正８】
【補正対象書類名】明細書
【補正対象項目名】００１７
【補正方法】変更
【補正の内容】
【００１７】
本発明において、前記一方側部材が前記回転部材であり、前記他方側部材が前記固定体である構成、前記一方側部材が前記固定体であり、前記他方側部材が前記回転部材である構成を採用することができる。ここで、前記一方側部材が前記回転部材であり、前記他方側部材が前記固定体である場合、回転部材側の軸部を固定体側の筒部で囲むことができるので、内部への異物の侵入を防止することができる。
【手続補正９】
【補正対象書類名】明細書
【補正対象項目名】００１９
【補正方法】変更
【補正の内容】
【００１９】
本発明では、前記固定体において、前記第１ダンパー機構を構成する固定部材は、前記筒部と異なる部材からなることが好ましい。このように構成すると、自立保持機構と第１ダンパー機構とを途中まで別々に組み立てた後、連結すればよいので、組み立て作業を効率よく行なうことができる。
【手続補正１０】
【補正対象書類名】明細書
【補正対象項目名】００２０
【補正方法】変更
【補正の内容】
【００２０】
本発明において、前記回転部材とは別の回転部材が前記固定体に対して回転可能に支持され、前記別の回転部材には、当該別の回転部材が一方方向に回転する際に制動力を発揮する第２ダンパー機構が構成され、前記コイルバネは、前記第２ダンパー機構を構成する部材により、前記筒部からの抜けが防止されていることが好ましい。このように構成すると、コイルバネの抜け防止対策を別途行う必要がないため、構成の簡素化を図ることができる。